(57)【要約】【課題】便座を便座ヒータで加温する洗浄便座装置において、トイレ室内の温度が低下することにより、本体ケース自体及び本体ケース内に収納した制御回路基板が低温となり、洋式便器内で発生した湿気を帯びた空気が隙間から本体ケース内に侵入したとき、本体ケースに結露する結露水の制御回路基板への滴下により、または制御回路基板に結露した結露水により、制御回路が誤動作するのを防止するために、これを防止するものである。【解決手段】トイレ室内の温度が低下することにより、便座ヒータの通電ＯＮ−ＯＦＦ回数が多くなることに着目して、ＯＮ−ＯＦＦ回数が多くなったとき、使用者が便座に着座していなくても脱臭機構を作動させて、本体ケース内に侵入した湿気を帯びた空気を排出する。【選択図】図１
2009275376.tif 000002
【特許請求の範囲】
【請求項１】
洋式便器上に便座や便蓋を開閉自在に支持した本体ケースが設置され、この本体ケース
内に、供給された上水を温める温水タンク等の加温部と、この加温部で温められた温水を
人体の局部に向けて噴射する洗浄ノズルと、洋式便器内の臭気を吸引し脱臭して排出する
脱臭機構が収納され、洗浄ノズルの出し入れや脱臭機構の作動等を制御する制御回路基板
が、本体ケース内またはこの本体ケースの側面に設けた操作部内に収納され、便座を電気
ヒータで加温する温水洗浄便座において、制御部によって前記電気ヒータの通電のＯＮ−
ＯＦＦ制御を行うと共に、予め設定した所定時間内における前記電気ヒータの通電ＯＮ−
ＯＦＦ回数が所定回数よりも多くなったとき、前記脱臭機構を作動させて本体ケース内ま
たは操作部内を換気することを特徴とする温水洗浄便座。
【請求項２】
洋式便器上に便座や便蓋を開閉自在に支持した本体ケースが設置され、この本体ケース
内に、供給された上水を温める温水タンク等の加温部と、この加温部で温められた温水を
人体の局部に向けて噴射する洗浄ノズルと、洋式便器内の臭気を吸引し脱臭して排出する
脱臭機構が収納され、洗浄ノズルの出し入れや脱臭機構の作動等を制御する制御回路基板
が、本体ケース内またはこの本体ケースの側面に設けた操作部内に収納され、便座を電気
ヒータで加温する温水洗浄便座において、制御部によって前記電気ヒータの通電のＯＮ−
ＯＦＦ制御を行うと共に、予め設定した所定時間内における前記電気ヒータの通電のＯＮ
時間またはＯＦＦ時間を積算し、この積算時間が予め設定した所定時間以上のとき、前記
脱臭機構を作動させて本体ケース内または操作部内を換気することを特徴とする温水洗浄
便座。
【発明の詳細な説明】
【技術分野】
【０００１】
本発明は、洗浄用の温水を噴出する洗浄ノズルを収納した本体ケース内またはこの本体
ケースの側面に設けた操作部内に制御回路基板を収納した温水洗浄便座に関する。
【背景技術】
【０００２】
洋式便器上に便座や便蓋を開閉自在に支持した本体ケースが設置され、この本体ケース
内に、供給された上水を温める温水タンク等の加温部と、この加温部で温められた温水を
人体の局部に向けて噴射する洗浄ノズルと、洋式便器内の臭気を吸引し脱臭して排出する
脱臭機構が収納され、洗浄ノズルの出し入れや脱臭機構の作動等を制御する制御回路基板
が、本体ケース内またはこの本体ケースの側面に設けた操作部内に収納された温水洗浄便
座がある。（特許文献１参照）。
【特許文献１】特開２００７−９２３９６号公報
【発明の開示】
【発明が解決しようとする課題】
【０００３】
特許文献１のものは、特開２００２−２６６４０６号の改良発明である。特開２００２
−２６６４０６号の発明は、洋式便器内で発生した湿気を帯びた空気が隙間から温水洗浄
便座内に侵入したとき、湿気を帯びた空気と比較して温度の低い部品が存在すると、その
部品に結露し、結露水が発生して、この結露水が電子部品についたときは故障の原因にな
るため、これを防止するために、使用者が便座に着座したときに脱臭機構を作動させ、温
水洗浄便座内に侵入した湿気を帯びた空気を排出するものである。
【０００４】
一方、特許文献１のものは、上記本体ケース内に湿度センサを設けて、本体ケース内の
湿度が上昇したとき脱臭機構を作動させて、本体ケース内に侵入した湿気を帯びた空気を
排出するものである。
【０００５】
本発明は、便座を電気ヒータである便座ヒータで加温する洗浄便座装置において、トイ
レ室内の温度が低下することにより、上記本体ケース自体及び本体ケース内に収納した制
御回路基板が低温となり、洋式便器内で発生した湿気を帯びた空気が隙間から本体ケース
内に侵入したとき、本体ケースに結露する結露水の制御回路基板への滴下により、または
制御回路基板に結露した結露水により、制御回路が誤動作するのを防止するために、特許
文献１のように湿度センサを設けるのではなく、トイレ室内の温度が低下することにより
、予め設定した所定時間内における便座ヒータの通電ＯＮ−ＯＦＦ回数が多くなることに
着目して、ＯＮ−ＯＦＦ回数が多くなったとき、または、ＯＮ時間若しくはＯＦＦ時間の
積算時間が所定時間以上のとき、使用者が便座に着座していなくても脱臭機構を作動させ
て、本体ケース内に侵入した湿気を帯びた空気を排出するものである。
【課題を解決するための手段】
【０００６】
第１発明は、洋式便器上に便座や便蓋を開閉自在に支持した本体ケースが設置され、こ
の本体ケース内に、供給された上水を温める温水タンク等の加温部と、この加温部で温め
られた温水を人体の局部に向けて噴射する洗浄ノズルと、洋式便器内の臭気を吸引し脱臭
して排出する脱臭機構が収納され、洗浄ノズルの出し入れや脱臭機構の作動等を制御する
制御回路基板が、本体ケース内またはこの本体ケースの側面に設けた操作部内に収納され
、便座を電気ヒータで加温する温水洗浄便座において、制御部によって前記電気ヒータの
通電のＯＮ−ＯＦＦ制御を行うと共に、予め設定した所定時間内における前記電気ヒータ
の通電ＯＮ−ＯＦＦ回数が所定回数よりも多くなったとき、前記脱臭機構を作動させて本
体ケース内または操作部内を換気するものである。
【０００７】
第２発明は、洋式便器上に便座や便蓋を開閉自在に支持した本体ケースが設置され、こ
の本体ケース内に、供給された上水を温める温水タンク等の加温部と、この加温部で温め
られた温水を人体の局部に向けて噴射する洗浄ノズルと、洋式便器内の臭気を吸引し脱臭
して排出する脱臭機構が収納され、洗浄ノズルの出し入れや脱臭機構の作動等を制御する
制御回路基板が、本体ケース内またはこの本体ケースの側面に設けた操作部内に収納され
、便座を電気ヒータで加温する温水洗浄便座において、制御部によって前記電気ヒータの
通電のＯＮ−ＯＦＦ制御を行うと共に、予め設定した所定時間内における前記電気ヒータ
の通電のＯＮ時間またはＯＦＦ時間を積算し、この積算時間が予め設定した所定時間以上
のとき、前記脱臭機構を作動させて本体ケース内または操作部内を換気することを特徴と
する。
【発明の効果】
【０００８】
本発明では、トイレ室内の温度が低下することにより、所定時間内における便座ヒータ
の通電ＯＮ−ＯＦＦ回数が多くなることに着目して、ＯＮ−ＯＦＦ回数が多くなったとき
、または、このＯＮ時間若しくはＯＦＦ時間を積算し、この積算時間が予め設定した所定
時間以上のとき、便座ヒータの通電使用者が便座に着座していなくても脱臭機構を作動さ
せて、本体ケース内に侵入した湿気を帯びた空気を排出するため、結露が生じる状況の把
握がし易く、且つ、マイクロコンピュータ方式の制御部のプログラムの変更によって簡単
に対応できるものとなり、本体ケース内に湿度センサを設ける必要がないので、配線や部
品取り付けを含むコストアップも生じないものとなる。
【発明を実施するための最良の形態】
【０００９】
洋式便器上に便座や便蓋を開閉自在に支持した本体ケースが設置され、この本体ケース
内に、供給された上水を温める温水タンク等の加温部と、この加温部で温められた温水を
人体の局部に向けて噴射する洗浄ノズルと、洋式便器内の臭気を吸引し脱臭して排出する
脱臭機構が収納され、洗浄ノズルの出し入れや脱臭機構の作動等を制御する制御回路基板
が、本体ケース内またはこの本体ケースの側面に設けた操作部内に収納され、便座を電気
ヒータで加温する温水洗浄便座において、制御部によって前記電気ヒータの通電のＯＮ−
ＯＦＦ制御を行うと共に、予め設定した所定時間内における前記電気ヒータの通電ＯＮ−
ＯＦＦ回数が所定回数よりも多くなったとき、前記脱臭機構を作動させて本体ケース内ま
たは操作部内を換気するものである。以下、本発明の実施形態を記載する。
【実施例１】
【００１０】
図１は本発明に係る温水洗浄便座の斜視図、図２は図１の温水洗浄便座の本体ケース及
び操作部の内部構成を一部破断により示す平面図、図３は本発明に係る温水洗浄便座の制
御回路ブロック図である。
【００１１】
本発明の実施例を先ず図１に基づき説明すると、１は洋式便器２の上に着脱可能に設置
された温水洗浄便座で、本体ケース３に便座４と便蓋５を上下方向に開閉自在に枢支して
いる。本体ケース３の一方の側面には給水管６を突設し、この給水管にフレキシブルな配
管ホース７を接続していると共に、この配管ホースは、分岐水栓８を介して市水等の水道
管９に接続している。
【００１２】
本体ケース３は、その一方の側面に、前方が上記便座４の側面に沿って延設された操作
部１０を一体的に突設しており、操作部１０は本体ケース３の一部分を構成する。この操
作部１０の上面に複数の操作ボタン１１・・や表示器１２等を配置している。
【００１３】
本発明は制御用基板を備えている。制御用基板は単一の構成でもよいが、図示の実施例
では、操作部１０が便座４の側部に配置された構成であるため、制御回路基板がメイン基
板１７と操作基板１８で構成されているが、制御回路基板が操作基板１８によって全て構
成されている場合は操作基板１８のみである。実施例では前者の方式である。操作をリモ
ートコントロール方式とする場合は、操作部１０の操作基板１８の部分が、本体ケース３
から離れてトイレの壁等に取り付けられるリモートコントロラとなり、この場合の本発明
の本体ケース３内の制御用基板は、メイン基板１７となる。
【００１４】
図示の構成において、本体ケース３内には、図２に示す様に、内部に後述の温水ヒータ
を内蔵した加温部となる温水タンク１３と、この温水タンクと上記給水管６とを接続する
給水配管１４と、洗浄ノズルセット１５と、脱臭機構１６と、メイン基板１７とを主に収
納配置していると共に、操作部１０内には、操作ボタン１１・・や表示器１２の下方に対
向位置して操作基板１８を配置している。
【００１５】
洗浄ノズルセット１５は、ノズルベース１９に一対のおしり用洗浄ノズル２０とビデ用
洗浄ノズル２１を前後方向に進出及び後退自在に収納し、かつ給湯配管２２により図示し
ない切替弁を介して上記温水タンク１３に接続され、この温水タンクより洗浄用の温水を
供給する。
【００１６】
便座４は、図１に一部断面で示すように、便座４の裏側にアルミニウム箔４Ａを介して
絶縁被覆された電気ヒータの便座ヒータ４１が取り付けられており、便座ヒータ４１の発
熱によって便座４が加温される。
【００１７】
脱臭機構１６は、脱臭用触媒２４と、脱臭ファン２５と、ファンケース２６にて主に構
成し、このファンケース２６は、上記洋式便器２のボウルに対向して開口した第１吸気孔
２７と、本体ケース３内に開口した第２吸気孔２８と、これらの吸気孔から吸引した空気
が上記脱臭用触媒２４を通過した後、本体ケース３の外に排出する排気孔２９とを設けて
いる。
【００１８】
図３は、制御手段となる制御回路３０のブロック図を示すもので、商用電源３１にマイ
クロコンピュータを中心に構成した制御部３２を接続し、かつこの制御部の入出力回路に
は上記操作基板１８を接続し、入力回路には上記便座４への着座を検出する着座スイッチ
３３と、トイレ室内が低温であることを検出する温度センサ５０と、便座４の温度を検出
する便座用温度センサ３５とを接続している。
【００１９】
温度センサ５０は、トイレ室内が所定温度以下の低温となったときの結露による上記問
題を防止するために設けられたものであり、トイレ室内の空気温度を検出する方式と、本
体ケース３の温度を検出する方式と、メイン基板１７に対応する部分の本体ケース３内の
温度や、操作基板１８に対応する部分の操作部１０内の温度を検出するように配置する方
式がある。図示のものは、本体ケース３またはその一部である操作部１０に形成した窓５
１内にトイレ室へ臨むように取り付けられる。
【００２０】
商用電源３１には、上記制御部３２の出力にて各々制御するスイッチング素子３６、３
７、３８、３９、４０を介して、便座ヒータ４１、温水タンク１３内の水を加熱する温水
ヒータ４２、上記切替弁を回転駆動する洗浄モータ４３、脱臭ファン２５、洗浄バルブ４
４を接続している。
【００２１】
制御部３２は着座スイッチ３３により便座４への人体の着座を検出すると、スイッチン
グ素子３９を通電して脱臭ファン２５を回転し、操作部１０の操作ボタン１１・・が操作
されて洗浄操作が行なわれると、スイッチング素子３８、４０を適宜作動して洗浄モータ
４３や洗浄バルブ４４を作動し、洗浄モータ４３によって洗浄ノズル２０または２１が進
出すると共に、洗浄バルブ４４が開いて温水タンク１３内の温水の洗浄水が、操作ボタン
１１で選択された洗浄ノズル２０または２１から噴出する。そして、操作部１０の操作ボ
タン１１・・が操作されて洗浄停止操作が行なわれると、スイッチング素子３８、４０を
適宜作動して洗浄モータ４３や洗浄バルブ４４を作動し、洗浄モータ４３によって進出し
ていた洗浄ノズル２０または２１が後退すると共に、洗浄バルブ４４が閉じて洗浄水の噴
出を停止する。
【００２２】
脱臭機構１６による脱臭を行なうか否かの設定は、操作部１０の操作ボタン１１のうち
の所定のボタン操作によって、使用者が任意に設定できるものであり、脱臭機構１６によ
る脱臭を行なう設定では、使用者が便座４へ着座したことを着座スイッチ３３が検出する
ことにより、制御部３２の動作によって、スイッチング素子３９が動作して脱臭ファン２
５が回転し、脱臭状態となる。脱臭ファン２５の回転時には、第１吸気孔２７より洋式便
器２内の臭気をファンケース２６内に吸引して脱臭用触媒２４を通過させ、臭気を除去し
て排気孔２９より本体ケース３の外に排気すると同時に、第２吸気孔２８より本体ケース
３内の空気をファンケース２６内に吸引して排気孔２９より本体ケース３の外に排気する
。なお、使用者が便座４から離れたことにより着座スイッチ３３が動作し、制御部３２の
動作によって、直ちにまたは所定時間遅延してスイッチング素子３９が動作し、脱臭ファ
ン２５の回転が停止する。
【００２３】
制御部３２は、便座用温度センサ３５により便座４の温度を検出し、この便座が設定温
度に成る様にスイッチング素子３６を制御して便座ヒータ４１への通電をＯＮ−ＯＦＦ制
御する。この設定温度は、操作部１０の操作ボタン１１のうちの所定のボタン操作によっ
て、使用者によって任意に設定される温度である。
【００２４】
常時、温度センサ５０によりトイレ室内の温度を検出しており、便座４に人体が着座し
ていない状態において、トイレ室内の温度が所定温度（Ｋ℃）以下になれば、温度センサ
５０の検出に基づき、制御部３２は、スイッチング素子３９を制御して脱臭ファン２５を
回転させ、第２吸気孔２８より本体ケース３並びに操作部１０内の空気をファンケース２
６内に吸引すると共に、第１吸気孔２７より洋式便器２内の空気をファンケース２６内に
吸引して、排気孔２９より本体ケース３の外に排気する。この場合、本体ケース３並びに
操作部１０内には、その周囲の空気が、本体ケース３並びに操作部１０の隙間から本体ケ
ース３並びに操作部１０内に流入し、本体ケース３並びに操作部１０内を換気する。また
、本体ケース３並びに操作部１０に特別に吸い込み口５２（本体ケース３の吸い込み口５
２は本体ケース３の背面に形成する）を設け、周囲の空気をこの吸い込み口５２から本体
ケース３並びに操作部１０内に流入させることにより、本体ケース３並びに操作部１０内
を換気することができる。このようにして、本体ケース３並びに操作部１０の内面への結
露水の発生や、メイン基板１７及び操作基板１８への結露水の発生を防止することができ
る。
【００２５】
上記実施例では脱臭ファン２５の回転時には常に第１吸気孔２７と第２吸気孔２８から
吸気する様に構成しているが、例えばこれらの吸気孔にそれぞれシャッタを設け、トイレ
室内の温度が所定温度（Ｋ℃）よりも高いとき、メイン基板１７及び操作基板１８に結露
が生じない状態であるため、便座４に人体が着座して行なう脱臭時には第１吸気孔２７の
みから吸気し、トイレ室内の温度が所定温度（Ｋ℃）以下のときは、メイン基板１７及び
操作基板１８に結露が生じ易い状態であるため、便座４に人体が着座していない場合でも
、室温検出センサ５０の検出にて、第１吸気孔２７から吸気し、便座４に人体が着座した
場合は、第１吸気孔２７と第２吸気孔２８から吸気するように、制御部３２によって前記
シャッタの開閉制御を行うように構成してもよい。
【実施例２】
【００２６】
本発明では、特に、本体ケース３内の湿度を検出する湿度検出センサや、上記実施例１
に示す第１発明における温度センサ５０を設けずに、結露防止を行なう技術を提供する。
本体ケース３内に結露が生じる状態は、洗浄ノズル２０、２１から温水が噴出するように
、温水タンク１３内の水を温水ヒータ４２にて加熱するモードのときである。また、トイ
レ室内が低温のときは、便座４を加温しないことは殆んどないと考えられる。上記のよう
に、便座ヒータ４１の通電は、便座用温度センサ３５の検出に基づく制御部３２の動作に
よって、スイッチング素子３６によってＯＮ−ＯＦＦ制御される。
【００２７】
このような状況において、トイレ室内が低温のときは、便座４の温度低下が速くなるた
め、便座ヒータ４１の通電のＯＮ−ＯＦＦ制御回数が多くなる。第２発明は、この点に着
目して、温度センサ５０を設けない方式として、制御部３２によって、予め設定した所定
時間（例えば１時間）当たりの便座ヒータ４１の通電のＯＮ−ＯＦＦ制御回数をカウント
し、このカウント値と基準値との比較によって、このカウント値が基準値以上になったと
き、またはこのカウント値が基準値を超えたとき、制御部３２は、スイッチング素子３９
を制御して脱臭ファン２５を回転させ、本体ケース３並びに操作部１０内を換気するもの
である。脱臭ファン２５の運転は、例えば５分間程度の所定時間行なえば十分換気できる
。
【００２８】
脱臭ファン２５は、着座スイッチ３３により便座４への人体の着座を検出していないと
きは勿論このような動作で運転される。一方、便座４へ人体が着座したことを着座スイッ
チ３３が検出している状態では、上記のように、脱臭ファン２５が運転されて脱臭動作を
行なうが、このとき上記カウント値が基準値以上になったとき、またはこのカウント値が
基準値を超えたときは、制御部３２は、スイッチング素子３９を制御して脱臭ファン２５
を回転させる強制運転モードとなるため、便座４へ人体が着座したことによる脱臭ファン
２５の通常運転モードと、この強制運転モードが重なった場合には、遅く終わる方の運転
モードによって脱臭ファン２５の運転が終わることとなる。
【００２９】
このように、脱臭ファン２５を回転させることにより、第２吸気孔２８より本体ケース
３並びに操作部１０内の空気をファンケース２６内に吸引すると共に、第１吸気孔２７よ
り洋式便器２内の空気をファンケース２６内に吸引して、排気孔２９より本体ケース３の
外に排気する。この場合、本体ケース３並びに操作部１０内には、その周囲の空気が、本
体ケース３並びに操作部１０の隙間から本体ケース３並びに操作部１０内に流入し、また
は本体ケース３並びに操作部１０に特別に設けた吸い込み口５２（本体ケース３の吸い込
み口５２は本体ケース３の背面に形成する）から本体ケース３並びに操作部１０内に流入
することにより、本体ケース３並びに操作部１０内を換気する。これによって、本体ケー
ス３並びに操作部１０の内面への結露水の発生や、メイン基板１７及び操作基板１８への
結露水の発生を防止することができる。
【００３０】
上記実施例では脱臭ファン２５の回転時には常に第１吸気孔２７と第２吸気孔２８から
吸気する様に構成しているが、例えばこれらの吸気孔にそれぞれシャッタを設け、上記通
常運転モードのときは、メイン基板１７及び操作基板１８に結露が生じない状態であるた
め、便座４に人体が着座して行なう脱臭時には第１吸気孔２７のみから吸気し、また、上
記強制運転モードのときは、便座４に人体が着座していない場合には、メイン基板１７及
び操作基板１８に結露が生じ易い状態であるため、室温検出センサ５０の検出にて、第１
吸気孔２７から吸気し、上記強制運転モードのとき便座４に人体が着座した場合は、第１
吸気孔２７と第２吸気孔２８から吸気するように、制御部３２によって前記シャッタの開
閉制御を行うように構成してもよい。
【００３１】
更に上記各実施例では、加温部として温水タンク１３を配置しているが、加温部を瞬間
加熱式の熱交換器で構成してもよい。また、制御回路基板が、操作基板１８によって全て
構成されている場合は、脱臭ファン２５の運転によって、周囲の空気が操作部１０の隙間
及びまたは吸い込み口５２から操作部１０内に流入し、操作部１０内を換気することによ
り、操作部１０の内面への結露水の発生や、操作基板１８への結露水の発生を防止するこ
とができる。
【実施例３】
【００３２】
上記実施例２に示す発明では、制御部３２によって、便座ヒータ４１の通電のＯＮ−Ｏ
ＦＦ制御を行うと共に、予め設定した所定時間（例えば１時間）内における便座ヒータ４
１の通電ＯＮ−ＯＦＦ回数が所定回数よりも多くなったとき、脱臭ファン２５を作動させ
て本体ケース３内または操作部１０内を換気するものであるが、これに代わって、第３発
明は、制御部３２によって、便座ヒータ４１の通電のＯＮ−ＯＦＦ制御を行うと共に、予
め設定した所定時間（例えば１時間）内における便座ヒータ４１の通電のＯＮ時間または
ＯＦＦ時間を積算し、この積算時間が予め設定した所定時間以上のとき、脱臭ファン２５
を作動させて本体ケース３内または操作部１０内を換気するものである。その他の事項は
実施例２と同様であり、上記実施例２と同様の動作及び効果を得ることができる。
【産業上の利用可能性】
【００３３】
本発明は、上記実施例に示した構成に限定されず、種々の形態の温水洗浄便座に適用で
きるものであり、本発明の技術範囲において種々の形態を包含するものである。
【図面の簡単な説明】
【００３４】
【図１】本発明に係る温水洗浄便座の斜視図である。
【図２】図１の温水洗浄便座の本体ケース及び操作部の内部構成を一部破断により示す平面図である。
【図３】本発明に係る温水洗浄便座の制御回路ブロック図である。
【符号の説明】
【００３５】
１・・・・温水洗浄便座
２・・・・洋式便器
３・・・・本体ケース
４・・・・便座
５・・・・便蓋
１０・・・操作部
１３・・・温水タンク（加温部）
１６・・・脱臭機構
１７・・・メイン基板
１８・・・操作基板
２０・・・おしり用洗浄ノズル
２１・・・ビデ用洗浄ノズル
２５・・・脱臭ファン
３２・・・制御部
４１・・・便座ヒータ
５０・・・温度センサ
【図１】
2009275376.tif 000003
【図２】
2009275376.tif 000004
【図３】
2009275376.tif 000005